(57)【要約】【課題】  放熱能力に優れた積層コンデンサを提供する。【解決手段】  引出部１２ａ，１２ｂ，１２ｃの形成位置が異なる３種類の内部電極（第１，第２，第３内部電極）１２，１３，１４が誘電体層を介して所定の順序及び方向で向き合うように配され、各内部電極１２，１３，１４の引出部１２ａ，１３ａ，１４ａの端縁が下面で露出した構成を有する直方体形状の積層チップ１１と、種類が同じ内部電極１２，１３，１４の引出部１２ａ，１３ａ，１４ａの端縁が導通するように積層チップ１１の下面に互いに非接触で設けられた内部電極の種類と同数（３個）の外部電極（第１，第２，第３外部電極）１５，１６，１７と、各第２内部電極１３と導通するように積層チップ１１の上面に設けられた放熱導体部３０とを備え、電圧印加時に各内部電極で発生する熱と回路基板から各外部電極を通じて内部電極等に伝わる熱を各第２内部電極１３から放熱導体部１８に直接的に伝えて該放熱導体部１８から外部に放出する。【選択図】  図１
2006100646.tif 000002
【特許請求の範囲】
【請求項１】
引出部の形成位置が異なる３種類以上の内部電極が誘電体層を介して所定の順序及び方向で向き合うように配され、各内部電極の引出部の端縁が１つの面で露出した構成を有する直方体形状の積層チップと、
種類が同じ内部電極の引出部の端縁が導通するように積層チップの前記１つの面に互いに非接触で設けられた内部電極の種類と同数の外部電極と、
３種類以上の内部電極の少なくとも１種類の内部電極に導通するように積層チップの前記１つの面とは異なる面に設けられた少なくとも１つの放熱導体部とを備える、
ことを特徴とする積層コンデンサ。
【請求項２】
放熱導体部の数は１つで、１種類の内部電極が放熱導体部に導通している、
ことを特徴とする請求項１に記載の積層コンデンサ。
【請求項３】
放熱導体部の数は２つで、１種類の内部電極が一方の放熱導体部に導通し他の１種類の内部電極が他方の放熱導体部に導通している、
ことを特徴とする請求項１に記載の積層コンデンサ。
【請求項４】
放熱導体部の数は内部電極の種類数と同数で、各種類の内部電極がそれぞれ異なる放熱導体部に導通している、
ことを特徴とする請求項１に記載の積層コンデンサ。
【請求項５】
内部電極の種類は３であり、３種類の内部電極が順に並んだ部分を少なくとも有する、
ことを特徴とする請求項１に記載の積層コンデンサ。
【発明の詳細な説明】
【技術分野】
【０００１】
本発明は、積層チップ内に複数の内部電極を対向して備える積層コンデンサに関する。
【背景技術】
【０００２】
特開平１１−２８８８３８号公報には、放熱用外部電極を備える積層コンデンサが開示されている。この積層コンデンサは、複数の内部電極が誘電体層を介して向き合うように配され各内部電極の端縁が長さ方向の面に交互に引き出された直方体形状の積層チップと、各内部電極の端縁と接続するように積層チップの長さ方向の端部に設けられた１対の外部電極と、隣接する内部電極間に内部電極と非接触で介装され各々の側縁が積層チップの幅方向の面に引き出された複数の放熱用内部電極と、各放熱用内部電極の側縁と接続するように積層チップの幅方向の端部に外部電極と非接触で設けられた１対の放熱用外部電極とを備えている。
【０００３】
この積層コンデンサでは、隣接する内部電極間に内部電極と非接触で介装された複数の放熱用内部電極とこれらに接続された１対の放熱用外部電極を利用して、コンデンサ自体の熱を放熱用内部電極及び放熱用外部電極を利用して外部に放出するようにしている。
【特許文献１】特開平１１−２８８８３８号公報
【発明の開示】
【発明が解決しようとする課題】
【０００４】
積層コンデンサで生じる温度上昇は、主として、電圧印加時に内部電極で発生する熱と、回路基板から外部電極を通じて内部電極等に伝わる熱に依存するが、前述の積層コンデンサでは隣接する内部電極間に内部電極と非接触で介装された複数の放熱用内部電極とこれらに接続された１対の放熱用外部電極を利用して放熱を行うようにしているため、内部電極と放熱用内部電極との間それぞれに存する誘電体層が内部電極から放熱用内部電極への伝熱の妨げとなってしまうために所期の放熱を効率良く行うことが難しい。
【０００５】
本発明は前記事情に鑑みて創作されたもので、その目的とするところは、放熱能力に優れた積層コンデンサを提供することにある。
【課題を解決するための手段】
【０００６】
前記目的を達成するため、本発明に係る積層コンデンサは、引出部の形成位置が異なる３種類以上の内部電極が誘電体層を介して所定の順序及び方向で向き合うように配され、各内部電極の引出部の端縁が１つの面で露出した構成を有する直方体形状の積層チップと、種類が同じ内部電極の引出部の端縁が導通するように積層チップの前記１つの面に互いに非接触で設けられた内部電極の種類と同数の外部電極と、３種類以上の内部電極の少なくとも１種類の内部電極に導通するように積層チップの前記１つの面とは異なる面に設けられた少なくとも１つの放熱導体部とを備える、ことをその特徴とする。
【０００７】
この積層コンデンサによれば、３種類以上の内部電極の少なくとも１種類の内部電極に導通するように積層チップの前記１つの面とは異なる面に設けられた少なくとも１つの放熱導体部を備えることから、電圧印加時に内部電極で発生する熱と回路基板から外部電極を通じて内部電極等に伝わる熱を少なくとも１種類の内部電極から少なくとも１つの放熱導体部に直接的に伝えて該放熱導体部から外部に効率良く放出することができる。
【発明の効果】
【０００８】
本発明によれば、放熱能力に優れた積層コンデンサを提供することができる。
【０００９】
本発明の前記目的とそれ以外の目的と、構成特徴と、作用効果は、以下の説明と添付図面によって明らかとなる。
【発明を実施するための最良の形態】
【００１０】
図１〜図４は本発明の第１実施形態を示す。図１（Ａ）は積層コンデンサの正面図、図１（Ｂ）〜図１（Ｄ）は積層チップ内に存する３種類の内部電極の形状を示す図、図２（Ａ）は図１（Ａ）のａ−ａ線断面図、図２（Ｂ）は図１（Ａ）に示した積層コンデンサの等価回路図、図３は図１（Ａ）に示した積層コンデンサの製法説明図、図４（Ａ）〜図４（Ｄ）は図１（Ａ）に示した積層コンデンサの製法説明図である。
【００１１】
図１（Ａ）に示す積層コンデンサ１０は、所定の高さ方向寸法（図１（Ａ）の上下方向寸法），幅方向寸法（図１（Ａ）の左右方向寸法）及び厚さ方向寸法（図１（Ａ）の前後方向寸法）を有する直方体形状の積層チップ１１を備える。この積層チップ１１は、引出部の形成位置が異なる３種類の内部電極（第１，第２，第３内部電極）１２，１３，１４が誘電体層（符号無し）を介して図２（Ａ）に示す順序及び厚さ方向で向き合うように配された構成を有する。
【００１２】
図１（Ｂ）に示すように第１内部電極１２は矩形状を成し、上下縁は積層チップ１１の上下面から離れた内側位置にあり、左右縁は積層チップ１１の左右面から離れた内側位置にある。また、第１内部電極１２の下縁左端には帯状の引出部１２ａが一体に形成され、該引出部１２ａの下縁は積層チップ１１の下面で露出している。
【００１３】
図１（Ｃ）に示すように第２内部電極１３は第１内部電極１２よりも高さ寸法が大きな矩形状を成し、上縁は積層チップ１１の上面で露出し、下縁は積層チップ１１の下面から離れた内側位置にあり、左右縁は積層チップ１１の左右面から離れた内側位置にある。また、第２内部電極１３の下縁中央には帯状の引出部１３ａが一体に形成され、該引出部１３ａの下縁は積層チップ１１の下面で露出している。
【００１４】
図１（Ｄ）に示すように第３内部電極１４は第１内部電極１２とほぼ等しい矩形状を成し、上下縁は積層チップ１１の上下面から離れた内側位置にあり、左右縁は積層チップ１１の左右面から離れた内側位置にある。また、第３内部電極１４の下縁右端には帯状の引出部１４ａが一体に形成され、該引出部１４ａの下縁は積層チップ１１の下面で露出している。
【００１５】
第１，第２，第３内部電極１２，１３，１４の積層チップ１１の厚さ方向の並び順は、図１（Ａ）の手前側から奥側に向けて、第２内部電極１３，第３内部電極１４，第２内部電極１３，第３内部電極１４，第２内部電極１３，第１内部電極１２，第２内部電極１３，第１内部電極１２，第２内部電極１３である。この並び順にあっては、３種類の第１，第２，第３内部電極１２，１３，１４が第３内部電極１４，第２内部電極１３，第１内部電極１２の順に並んだ部分をその中央部に有する。尚、図面における第１，第２，第３内部電極１２，１３，１４の総数は９であるが、前記の並び順を維持すれば第１，第２，第３内部電極１２，１３，１４の総数は任意に増加可能である。
【００１６】
また、積層チップ１１の下面には内部電極（第１，第２，第３内部電極）１２，１３，１４の種類と同数（３個）の外部電極（第１，第２，第３外部電極）１５，１６，１７が互いに非接触で設けられている。詳しくは、積層チップ１１の下面左端には第１外部電極１５が厚さ方向に帯状に設けられ、該第１外部電極１５には各第１内部電極１２の引出部１２ａの下縁が接続している（図１（Ｂ）参照）。積層チップ１１の下面中央には第２外部電極１６が厚さ方向で帯状に設けられ、該第２外部電極１６には各第２内部電極１３の引出部１３ａの下縁が接続している（図１（Ｃ）参照）。積層チップ１１の下面右端には第３外部電極１７が厚さ方向で帯状に設けられ、該第２外部電極１６には各第３内部電極１４の引出部１４ａの下縁が接続している。
【００１７】
各外部電極１５，１６，１７の厚さ方向の長さは積層チップ１１の下面の厚さ方向の長さと必ずしも一致させる必要はなく、各外部電極１５，１６，１７の厚さ方向の長さは積層チップ１１の下面の厚さ方向の長さよりも多少短くてもよいし、また、各外部電極１５，１６，１７の厚さ方向の両端縁が積層チップ１１の厚さ方向の２面にそれぞれ回り込むような形態となっていても構わない。
【００１８】
さらに、積層チップ１１の上面には該上面全体を覆うように放熱導体部１８が設けられており、該放熱導体部１８には各第２内部電極１３の上縁が接続している（図１（Ｃ）参照）。
【００１９】
図１（Ａ）に示す積層コンデンサ１０では、図２（Ｂ）に等価回路を示すように、第１外部電極１５と第２外部電極１６との間に第１内部電極１２及び第２内部電極１３による所定静電容量のコンデンサＣ１１が構成され、また、第２外部電極１６と第３外部電極１７との間に第２内部電極１３及び第３内部電極１４による所定静電容量のコンデンサＣ１２が構成される。つまり、この積層コンデンサ１０は２つのコンデンサＣ１１，Ｃ１２を内蔵したコンデンサアレイとして使用することができる。
【００２０】
前述の積層コンデンサ１０を製造するに際しては、図３に示すように、まず、チタン酸バリウム等の誘電体粉末を含有した未焼成セラミックシートに銀やニッケル等の金属粉末を含有した導体ペーストを印刷して未焼成第１内部電極Ｄ１（Ｄ１ａは引出部）を形成した第１シートＳ１と、同様の未焼成セラミックシートに同様の導体ペーストを印刷して未焼成第２内部電極Ｄ２（Ｄ２ａは引出部）を形成した第２シートＳ２と、同様の未焼成セラミックシートに同様の導体ペーストを印刷して未焼成第３内部電極Ｄ３（Ｄ３ａは引出部）を形成した第３シートＳ３と、未焼成内部電極を形成していない未焼成セラミックシートから成るダミーシートＳ４を用意し、これらを図３に示す並び順で積層し全体を熱圧着して未焼成積層チップ（図示省略）を得て、多数の未焼成積層チップに一括で焼成処理を施して積層チップ１１（図４（Ａ）及び図４（Ｂ）参照）を得る。
【００２１】
図３には１部品に対応する大きさのシートを示したが、実際上は多数個取りを可能とした大きさのシートを用いて積層圧着を行い、これを部品寸法に切断した後に焼成を行うことで積層チップ１１を得る。
【００２２】
図４（Ａ）は積層チップ１１を下面側から見た斜視図、図４（Ｂ）は積層チップ１１を上面側から見た斜視図である。両図から分かるように、積層チップ１１の下面には第１，第２，第３内部電極１２，１３，１４の並びに準じて各々の引出部１２ａ，１３ａ，１４ａの下縁が露出し、積層チップ１１の上面には第２内部電極１３の上縁が露出している。
【００２３】
次に、図４（Ｃ）に示すように積層チップ１１の下面に前記同様の導体ペーストを幅方向に間隔をおいて帯状に印刷することによって未焼成第１外部電極，未焼成第２外部電極，未焼成第３外部電極を形成すると共に、図４（Ｄ）に示すように積層チップ１１の上面に前記同様の導体ペーストを印刷することによって未焼成放熱導体部を形成し、これらに焼き付け処理を施して第１外部電極１５，第２外部電極１６，第３外部電極１７並びに放熱導体部１８を形成する。
【００２４】
勿論、前記未焼成積層チップに施す焼成処理を、未焼成第１外部電極，未焼成第２外部電極，未焼成第３外部電極並びに未焼成放熱導体部の形成後に行えば、１回の焼成処理で積層チップ１１，第１外部電極１５，第２外部電極１６，第３外部電極１７並びに放熱導体部１８を得ることも可能である。
【００２５】
このように、前述の積層コンデンサ１０にあっては、３種類の内部電極（第１，第２，第３内部電極）１２，１３，１４のうちの各第２内部電極１３と導通する放熱導体部１８が積層チップ１１の上面に設けられているので、電圧印加時に各内部電極で発生する熱と回路基板から各外部電極を通じて内部電極等に伝わる熱を各第２内部電極１３から放熱導体部１８に直接的に伝えて該放熱導体部１８から外部に効率良く放出してコンデンサ自体の温度上昇を的確に抑制することができる。また、放熱導体部１６に十分な表面積を確保できるので前記の熱放出をより効果的に行うことができる。
【００２６】
また、前述の積層コンデンサ１０にあっては、３種類の内部電極（第１，第２，第３内部電極）１２，１３，１４の相互間に内部電極とは別の放熱専用電極が存しないため、該放熱専用電極の存在によって図２（Ｂ）に示したコンデンサＣ１１，Ｃ１２として所期の静電容量を安定して確保することができる。
【００２７】
さらに、前述の積層コンデンサ１０にあっては、３種類の第１，第２，第３内部電極１２，１３，１４が第３内部電極１４，第２内部電極１３，第１内部電極１２の順に並んだ部分がその一部に存在するため、これらの中央に位置する第２内部電極１３に導通する第２外部電極１６が接地電極となるような使い方をすれば、残り２つの第１内部電極１２と第３内部電極１４とをそれぞれ異なる信号が流れた場合でも中央の第２内部電極１３によって第１内部電極１２と第３内部電極１４との間に不要な静電容量が発生すること、並びに、第１内部電極１２と第３内部電極１４との間にクロストークが発生することを抑制することができる。
【００２８】
図２（Ａ）及び図３を引用して説明した第１，第２，第３内部電極１２，１３，１４の並び順は任意に変更可能であり、この点を図５〜図１０を引用して説明する。
【００２９】
図５及び図６（Ａ）は並び順の第１の変形例を示す。図５及び図６（Ａ）から分かるように、第１，第２，第３内部電極１２，１３，１４の積層チップ１１の厚さ方向の並び順は、図１（Ａ）の手前側から奥側に向けて、第２内部電極１３，第３内部電極１４，第２内部電極１３，第１内部電極１２，第２内部電極１３，第３内部電極１４，第２内部電極１３，第１内部電極１２，第２内部電極１３である。この並び順にあって、３種類の第１，第２，第３内部電極１２，１３，１４が第１内部電極１２，第２内部電極１３，第３内部電極１４の順に並んだ部分をその中央部に有する。尚、図面における第１，第２，第３内部電極１２，１３，１４の総数は９であるが、前記の並び順を維持すれば第１，第２，第３内部電極１２，１３，１４の総数は任意に増加可能である。
【００３０】
この積層コンデンサでは、図６（Ｂ）に等価回路に示すように、第１外部電極１５と第２外部電極１６との間に第１内部電極１２及び第２内部電極１３による所定静電容量のコンデンサＣ２１が構成され、また、第２外部電極１６と第３外部電極１７との間に第２内部電極１３及び第３内部電極１４による所定静電容量のコンデンサＣ２２が構成される。つまり、この積層コンデンサは２つのコンデンサＣ２１，Ｃ２２を内蔵したコンデンサアレイとして使用することができる。
【００３１】
第１，第２，第３内部電極１２，１３，１４の並び順として図５及び図６（Ａ）に示した並び順を採用しても、図１〜図４に示した積層コンデンサと同様の作用効果を得ることができる。
【００３２】
図７及び図８（Ａ）は並び順の第２の変形例を示す。図７及び図８（Ａ）から分かるように、第１，第２，第３内部電極１２，１３，１４の積層チップ１１の厚さ方向の並び順は、図１（Ａ）の手前側から奥側に向けて、第２内部電極１３，第３内部電極１４，第２内部電極１３，第２内部電極１３，第１内部電極１２，第２内部電極１３，第２内部電極１３，第３内部電極１４，第２内部電極１３，第２内部電極１３，第１内部電極１２，第２内部電極１３である。尚、図面における第１，第２，第３内部電極１２，１３，１４の総数は１２であるが、この並び順を維持すれば第１，第２，第３内部電極１２，１３，１４の総数は任意に増加可能である。
【００３３】
この積層コンデンサでは、図８（Ｂ）に等価回路に示すように、第１外部電極１５と第２外部電極１６との間に第１内部電極１２及び第２内部電極１３による所定静電容量のコンデンサＣ３１が構成され、また、第２外部電極１６と第３外部電極１７との間に第２内部電極１３及び第３内部電極１４による所定静電容量のコンデンサＣ３２が構成される。つまり、この積層コンデンサは２つのコンデンサＣ３１，Ｃ３２を内蔵したコンデンサアレイとして使用することができる。
【００３４】
第１，第２，第３内部電極１２，１３，１４の並び順として図７及び図８（Ａ）に示した並び順を採用しても、図１〜図４に示した積層コンデンサと同様の作用効果を得ることができる。また、放熱導体部１８と導通する第２内部電極１３の数を第１内部電極１２及び第３内部電極１４の数よりも増加させることにより、各第２内部電極１３から放熱導体部１８への伝熱をより効率的に行って放熱能力を高めることができる。
【００３５】
図９及び図１０（Ａ）は並び順の第３の変形例を示す。図９及び図１０（Ａ）から分かるように、第１，第２，第３内部電極１２，１３，１４の積層チップ１１の厚さ方向の並び順は、図１（Ａ）の手前側から奥側に向けて、第２内部電極１３，第３内部電極１４，第１内部電極１２，第２内部電極１３，第３内部電極１４，第１内部電極１２，第２内部電極１３，第３内部電極１４，第１内部電極１２，第２内部電極１３である。この並び順にあっては、３種類の第１，第２，第３内部電極１２，１３，１４が第２内部電極１３，第３内部電極１４，第１内部電極１２の順に並んだ部分を有する。尚、図面における第１，第２，第３内部電極１２，１３，１４の総数は１０であるが、この並び順を維持すれば第１，第２，第３内部電極１２，１３，１４の総数は任意に増加可能である。
【００３６】
この積層コンデンサでは、図１０（Ｂ）に等価回路に示すように、第１外部電極１５と第２外部電極１６との間に第１内部電極１２及び第２内部電極１３による所定静電容量のコンデンサＣ４１が構成され、また、第２外部電極１６と第３外部電極１７との間に第２内部電極１３及び第３内部電極１４による所定静電容量のコンデンサＣ４２が構成され、さらに、第１外部電極１５と第３外部電極１７との間に第１内部電極１２及び第３内部電極１４による所定静電容量のコンデンサＣ４１が構成される。つまり、この積層コンデンサは３つのコンデンサＣ４１，Ｃ４２，Ｃ４３を内蔵したコンデンサアレイとして使用することができる。
【００３７】
第１，第２，第３内部電極１２，１３，１４の並び順として図９及び図１０（Ａ）に示した並び順を採用しても、図１〜図４に示した積層コンデンサと同様の作用効果を得ることができる。
【００３８】
図１（Ａ）〜図１（Ｄ）及び図４（Ｄ）を引用して説明した放熱導体部１８の形態は任意に変更可能であり、この点を図１１〜図１３を引用して説明する。
【００３９】
図１１（Ａ）は放熱導体部形態の第１の変形例を示す。この積層コンデンサでは、放熱導体部１８-1は積層チップ１１の上面と該上面と隣接する厚さ方向の２面に及んで連続形成されており、より大きな表面積を放熱導体部１８-1に確保することで前記の熱放出をより効果的に行うことができる。
【００４０】
図示を省略したが、この放熱導体部１８-1は、（１）積層チップ１１の上面と該上面と隣接する厚さ方向の１面に及んで連続形成された形態、（２）積層チップ１１の上面と該上面と隣接する幅方向の２面に及んで連続形成された形態、（３）積層チップ１１の上面と該上面と隣接する幅方向の２面に及んで連続形成された形態であってもよい。
【００４１】
図１１（Ｂ）は放熱導体部形態の第２の変形例を示す。この積層コンデンサでは、放熱導体部１８-2は積層チップ１１の上面と該上面と隣接する厚さ方向の２面並びに幅方向の２面に及んで連続形成されており、より大きな表面積を放熱導体部１８-2に確保することで前記の熱放出をより効果的に行うことができる。
【００４２】
図１２（Ａ）〜図１２（Ｃ）は放熱導体部形態の第３の変形例を示す。この積層コンデンサでは、積層チップ１１の上面に放熱導体部１８-3が形成され、積層チップ１１の幅方向の２面それぞれに２つの放熱導体部１９ａ，１９ｂが放熱導体部１８-3と非接触で形成されている。また、図１２（Ａ）に示すように第１内部電極１２-1は左縁が積層チップ１１の左面で露出した形状を備え、該左縁は放熱導体部１９ａに接続している。さらに、図１２（Ｂ）に示すように第３内部電極１４-1は右縁が積層チップ１１の右面で露出した形状を備え、該右縁は放熱導体部１９ｂに接続している。第２内部電極１３の形状は図１（Ｃ）に示したものと同じである。つまり、積層チップ１１には３種類の内部電極（第１，第２，第３内部電極）１２-1，１３，１４-1の種類数と同数（３つ）の放熱導体部１８-3，１９ａ，１９ｂが独立して設けられている。
【００４３】
この積層コンデンサにあっては、コンデンサ自体の熱を各第２内部電極１３から放熱導体部１８-3に直接的に伝えると共に、各第１内部電極１２-1から放熱導体部１９ａに直接的に伝え、且つ、第３内部電極１４-1から放熱導体部１９ｂに直接伝えることで、所期の熱放出をより効果的に行うことができる。
【００４４】
図示を省略したが、第１内部電極１２-1の形状を図１（Ｂ）に示すものと同じにして放熱導体部１９ａを除外するか、或いは、第３内部電極１４-1の形状を図１（Ｄ）に示すものと同じにして放熱導体部１９ａを除外することにより、積層チップ１１に２つの放熱導体部を独立して設けるようにしてもよい。
【００４５】
図１３（Ａ）〜図１３（Ｄ）は放熱導体部形態の第４の変形例を示す。この積層コンデンサでは、積層チップ１１の上面の放熱導体部１８が除外形成され、積層チップ１１の幅方向の２面それぞれに２つの放熱導体部１９ａ，１９ｂが形成されている。また、図１３（Ａ）に示すように第１内部電極１２-1は左縁が積層チップ１１の左面で露出した形状を備え、該左縁は放熱導体部１９ａに接続している。さらに、図１３（Ｂ）に示すように第２内部電極１３-1は上縁が積層チップ１１の上面から離れた内側位置にある形状を備える。さらに、図１３（Ｃ）に示すように第３内部電極１４-1は右縁が積層チップ１１の右面で露出した形状を備え、該右縁は放熱導体部１９ｂに接続している。つまり、積層チップ１１には２つの放熱導体部１９ａ，１９ｂが独立して設けられている。
【００４６】
この積層コンデンサにあっては、コンデンサ自体の熱を各第１内部電極１２-1から第２放熱導体部１９ａに直接的に伝え、且つ、第３内部電極１４-1から第３放熱導体部１９ｂに直接伝えることで、所期の熱放出をより効果的に行うことができる。
【００４７】
図示を省略したが、第１内部電極１２-1の形状を図１（Ｂ）に示すものと同じにして第２放熱導体部１９ａを除外するか、或いは、第３内部電極１４-1の形状を図１（Ｄ）に示すものと同じにして第３放熱導体部１９ａを除外することにより、積層チップ１１に１つの放熱導体部を設けるようにしてもよい。
【００４８】
図１４〜図１７は本発明の第２実施形態を示す。図１４（Ａ）は積層コンデンサの正面図、図１４（Ｂ）〜図１４（Ｅ）は積層チップ内に存する４種類の内部電極の形状を示す図、図１５（Ａ）は図１（Ａ）のｂ−ｂ線断面図、図１５（Ｂ）は図１４（Ａ）に示した積層コンデンサの等価回路図、図１６は図１４（Ａ）に示した積層コンデンサの製法説明図、図１７（Ａ）〜図１７（Ｄ）は図１４（Ａ）に示した積層コンデンサの製法説明図である。
【００４９】
図１４（Ａ）に示す積層コンデンサ２０は、所定の高さ方向寸法（図１４（Ａ）の上下方向寸法），幅方向寸法（図１４（Ａ）の左右方向寸法）及び厚さ方向寸法（図１４（Ａ）の前後方向寸法）を有する直方体形状の積層チップ２１を備える。この積層チップ２１は、引出部の形成位置が異なる４種類の内部電極（第１，第２，第３，第４内部電極）２２，２３，２４，２５が誘電体層（符号無し）を介して図１５（Ａ）に示す順序及び厚さ方向で向き合うように配された構成を有する。
【００５０】
図１４（Ｂ）に示すように第１内部電極２２は矩形状を成し、上下縁は積層チップ２１の上下面から離れた内側位置にあり、左右縁は積層チップ２１の左右面から離れた内側位置にある。また、第１内部電極２２の下縁左端には帯状の引出部２２ａが一体に形成され、該引出部２２ａの下縁は積層チップ２１の下面で露出している。
【００５１】
図１４（Ｃ）に示すように第２内部電極２３は第１内部電極２２よりも高さ寸法が大きな矩形状を成し、上縁は積層チップ２１の上面で露出し、下縁は積層チップ２１の下面から離れた内側位置にあり、左右縁は積層チップ２１の左右面から離れた内側位置にある。また、第２内部電極２３の下縁中央左側には帯状の引出部２３ａが一体に形成され、該引出部２３ａの下縁は積層チップ２１の下面で露出している。
【００５２】
図１４（Ｄ）に示すように第３内部電極２４は第１内部電極２２とほぼ等しい矩形状を成し、上下縁は積層チップ２１の上下面から離れた内側位置にあり、左右縁は積層チップ２１の左右面から離れた内側位置にある。また、第３内部電極２４の下縁中央右側には帯状の引出部２４ａが一体に形成され、該引出部２４ａの下縁は積層チップ２１の下面で露出している。
【００５３】
図１４（Ｅ）に示すように第４内部電極２５は第２内部電極２３とほぼ等しい矩形状を成し、上縁は積層チップ２１の上面で露出し、下縁は積層チップ２１の下面から離れた内側位置にあり、左右縁は積層チップ２１の左右面から離れた内側位置にある。また、第４内部電極２５の下縁右端には帯状の引出部２５ａが一体に形成され、該引出部２５ａの下縁は積層チップ２１の下面で露出している。
【００５４】
因みに、第１，第２，第３，第４内部電極２２，２３，２４，２５の厚さ方向の並び順は、図１４（Ａ）の手前側から奥側に向けて、第３内部電極２４，第４内部電極２５，第１内部電極２２，第２内部電極２３，第３内部電極２４，第４内部電極２５，第１内部電極２２，第２内部電極２３であり、第１，第２，第３，第４内部電極２２，２３，２４，２５の総数は８である。勿論、この並び順を維持すれば第１，第２，第３，第４内部電極２２，２３，２４，２５の総数は任意に増加可能である。
【００５５】
また、積層チップ２１の下面には内部電極（第１，第２，第３，第４内部電極）２２，２３，２４，２５の種類と同数（４個）の外部電極（第１，第２，第３，第４外部電極）２６，２７，２８，２９が互いに非接触で設けられている。
【００５６】
詳しくは、積層チップ２１の下面左端には第１外部電極２６が厚さ方向に帯状に設けられ、該第１外部電極２６には各第１内部電極２２の引出部２２ａの下縁が接続している（図１４（Ｂ）参照）。積層チップ２１の下面中央左側には第２外部電極２７が厚さ方向で帯状に設けられ、該第２外部電極２７には各第２内部電極２３の引出部２３ａの下縁が接続している（図１４（Ｃ）参照）。積層チップ２１の下面中央右側には第３外部電極２８が厚さ方向で帯状に設けられ、該第３外部電極２８には各第３内部電極２４の引出部２４ａの下縁が接続している（図１４（Ｄ）参照）。積層チップ２１の下面右端には第４外部電極２９が厚さ方向で帯状に設けられ、該第４外部電極２９には各第４内部電極２５の引出部２５ａの下縁が接続している（図１４（Ｅ）参照）。
【００５７】
各外部電極２６，２７，２８，２９の厚さ方向の長さは積層チップ２１の下面の厚さ方向の長さと必ずしも一致させる必要はなく、各外部電極２６，２７，２８，２９の厚さ方向の長さは積層チップ２１の下面の厚さ方向の長さよりも多少短くてもよいし、また、各外部電極２６，２７，２８，２９の厚さ方向の両端縁が積層チップ２１の厚さ方向の２面にそれぞれ回り込むような形態となっていても構わない。
【００５８】
さらに、積層チップ２１の上面には該上面全体を覆うように放熱導体部３０が設けられており、該放熱導体部３０には各第２内部電極２３の上縁と各第４内部電極２５の上縁が接続している（図１４（Ｃ）及び図１４（Ｅ）参照）。
【００５９】
図１４（Ａ）に示す積層コンデンサ１０では、図１５（Ｂ）に等価回路を示すように、第１外部電極２６と第２外部電極２７との間に第１内部電極２２及び第２内部電極２３による所定静電容量のコンデンサＣ５１が構成され、また、第２外部電極２７と第３外部電極２８との間に第２内部電極２３及び第３内部電極２４による所定静電容量のコンデンサＣ５２が構成され、第３外部電極２８と第４外部電極２９との間に第３内部電極２４及び第４内部電極２５による所定静電容量のコンデンサＣ５３が構成され、第１外部電極２６と第４外部電極２９との間に第１内部電極２２及び第４内部電極２５による所定静電容量のコンデンサＣ５４が構成される。つまり、この積層コンデンサ２０は４つのコンデンサＣ５１，Ｃ５２，Ｃ５３，Ｃ５４を内蔵したコンデンサアレイとして使用することができる。
【００６０】
前述の積層コンデンサ２０を製造するに際しては、図１６に示すように、まず、チタン酸バリウム等の誘電体粉末を含有した未焼成セラミックシートに銀やニッケル等の金属粉末を含有した導体ペーストを印刷して未焼成第１内部電極Ｄ１１（Ｄ１１ａは引出部）を形成した第１シートＳ１１と、同様の未焼成セラミックシートに同様の導体ペーストを印刷して未焼成第２内部電極Ｄ１２（Ｄ１２ａは引出部）を形成した第２シートＳ１２と、同様の未焼成セラミックシートに同様の導体ペーストを印刷して未焼成第３内部電極Ｄ１３（Ｄ１３ａは引出部）を形成した第３シートＳ１３と、同様の未焼成セラミックシートに同様の導体ペーストを印刷して未焼成第４内部電極Ｄ１４（Ｄ１４ａは引出部）を形成した第３シートＳ１４と、未焼成内部電極を形成していない未焼成セラミックシートから成るダミーシートＳ１５を用意し、これらを図１６に示す並び順で積層し全体を熱圧着して未焼成積層チップ（図示省略）を得て、多数の未焼成積層チップに一括で焼成処理を施して積層チップ２１（図４（Ａ）及び図４（Ｂ）参照）を得る。
【００６１】
図１６には１部品に対応する大きさのシートを示したが、実際上は多数個取りを可能とした大きさのシートを用いて積層圧着を行い、これを部品寸法に切断した後に焼成を行うことで積層チップ２１を得る。
【００６２】
図１７（Ａ）は積層チップ２１を下面側から見た斜視図、図１７（Ｂ）は積層チップ２１を上面側から見た斜視図である。両図から分かるように、積層チップ２１の下面には第１，第２，第３，第４内部電極２２，２３，２４，２５の並びに準じて各々の引出部２２ａ，２３ａ，２４ａ，２５ａの下縁が露出し、積層チップ２１の上面には第２内部電極２３の上縁と第４内部電極２５の上縁が露出している。
【００６３】
次に、図１７（Ｃ）に示すように積層チップ２１の下面に前記同様の導体ペーストを幅方向に間隔をおいて帯状に印刷することによって未焼成第１外部電極，未焼成第２外部電極，未焼成第３外部電極，未焼成第４外部電極を形成すると共に、図１７（Ｄ）に示すように積層チップ２１の上面に前記同様の導体ペーストを印刷することによって未焼成放熱導体部を形成し、これらに焼き付け処理を施して第１外部電極２６，第２外部電極２７，第３外部電極２８，第４外部電極２９並びに放熱導体部３０を形成する。
【００６４】
勿論、前記未焼成積層チップに施す焼成処理を、未焼成第１外部電極，未焼成第２外部電極，未焼成第３外部電極，未焼成第４外部電極並びに未焼成放熱導体部の形成後に行えば、１回の焼成処理で積層チップ２１，第１外部電極２６，第２外部電極２７，第３外部電極２８，第４外部電極２９並びに放熱導体部３０を得ることも可能である。
【００６５】
このように、前述の積層コンデンサ２０にあっては、４種類の内部電極（第１，第２，第３，第４内部電極）２２，２３，２４，２５のうちの各第２内部電極２３及び各第４内部電極２５と導通する放熱導体部３０が積層チップ２１の上面に設けられているので、電圧印加時に各内部電極で発生する熱と回路基板から各外部電極を通じて内部電極等に伝わる熱を各第２内部電極２３及び各第４内部電極２５から放熱導体部３０に直接的に伝えて該放熱導体部３０から外部に効率良く放出してコンデンサ自体の温度上昇を的確に抑制することができる。また、放熱導体部３０に十分な表面積を確保できるので前記の熱放出をより効果的に行うことができる。
【００６６】
また、前述の積層コンデンサ２０にあっては、４種類の内部電極（第１，第２，第３，第４内部電極）２２，２３，２４，２５の相互間に内部電極とは別の放熱専用電極が存しないため、該放熱専用電極の存在によって図１５（Ｂ）に示したコンデンサＣ５１，Ｃ５２，Ｃ５３，Ｃ５４として所期の静電容量を安定して確保することができる。
【００６７】
尚、前述の積層コンデンサ２０には、図１１〜図１３を引用して説明した放熱導体部形態の変形例を適宜採用することができる。
【図面の簡単な説明】
【００６８】
【図１】本発明の第１実施形態を示す積層コンデンサの正面図と、積層チップ内に存する３種類の内部電極の形状を示す図である。
【図２】図１（Ａ）のａ−ａ線断面図と、図１（Ａ）に示した積層コンデンサの等価回路図である。
【図３】図１（Ａ）に示した積層コンデンサの製法説明図である。
【図４】図１（Ａ）に示した積層コンデンサの製法説明図である。
【図５】第１，第２，第３内部電極の並び順の第１の変形例を示す図である。
【図６】第１，第２，第３内部電極の並び順の第１の変形例を示す図である。
【図７】第１，第２，第３内部電極の並び順の第２の変形例を示す図である。
【図８】第１，第２，第３内部電極の並び順の第２の変形例を示す図である。
【図９】第１，第２，第３内部電極の並び順の第３の変形例を示す図である。
【図１０】第１，第２，第３内部電極の並び順の第３の変形例を示す図である。
【図１１】放熱導体部形態の第１の変形例を示す図と、放熱導体部形態の第２の変形例を示す図である。
【図１２】放熱導体部形態の第３の変形例を示す図である。
【図１３】放熱導体部形態の第４の変形例を示す図である。
【図１４】本発明の第２実施形態を示す積層コンデンサの正面図と、積層チップ内に存する４種類の内部電極の形状を示す図である。
【図１５】図１４（Ａ）のｂ−ｂ線断面図と、図１４（Ａ）に示した積層コンデンサの等価回路図である。
【図１６】図１４（Ａ）に示した積層コンデンサの製法説明図である。
【図１７】図１４（Ａ）に示した積層コンデンサの製法説明図である。
【符号の説明】
【００６９】
１０…積層コンデンサ、１１…積層チップ、１２…第１内部電極、１２ａ…引出部、１３…第２内部電極、１３ａ…引出部、１４…第３内部電極、１４ａ…引出部、１５…第１外部電極、１６…第２外部電極、１７…第３外部電極、１８，１８-2，１８-2，１８-3，１９ａ，１９ｂ…放熱導体部、２０…積層コンデンサ、２１…積層チップ、２２…第１内部電極、２２ａ…引出部、２３…第２内部電極、２３ａ…引出部、２４…第３内部電極、２４ａ…引出部、２５…第３内部電極、２５ａ…引出部、２６…第１外部電極、２７…第２外部電極、２８…第３外部電極、２９…第３外部電極、３０…放熱導体部。
【図１】
2006100646.tif 000003
【図２】
2006100646.tif 000004
【図３】
2006100646.tif 000005
【図４】
2006100646.tif 000006
【図５】
2006100646.tif 000007
【図６】
2006100646.tif 000008
【図７】
2006100646.tif 000009
【図８】
2006100646.tif 000010
【図９】
2006100646.tif 000011
【図１０】
2006100646.tif 000012
【図１１】
2006100646.tif 000013
【図１２】
2006100646.tif 000014
【図１３】
2006100646.tif 000015
【図１４】
2006100646.tif 000016
【図１５】
2006100646.tif 000017
【図１６】
2006100646.tif 000018
【図１７】
2006100646.tif 000019